(57)【要約】【課題】リッピング時の再生であっても、リッピング無しの通常再生時と同等の音声出力開始時間を実現し、音飛びやプチノイズを防止可能な「リッピング時の音声出力開始時間短縮処理装置」とする。【解決手段】ＣＤのサブコード付のデータを読み込み、所定量格納するＳＰＭと、ＳＰＭからのデータを読み込みオーディオ出力するＬＳＩと、ＣＤのサブゴード付のデータを読み込み、タグに複数のサブコードを付加した圧縮オーディオを作成するエンコーダと、前記エンコーダでエンコードしたデータを格納する記録媒体と、前記記録媒体に記録されているデータをデコードし、ＣＤから読み込んだサブコード付のデータにするデコーダとを備え、前記デコーダのデータをＳＰＭに入れ、デコーダからのデータが再生しているＳＰＭのデータに追いついた時に、デコーダのデータを再生する【選択図】図１
2013097839.tif 000002
【特許請求の範囲】
【請求項１】
ＣＤのサブコード付のデータを読み込み、所定量格納するＳＰＭと、
ＳＰＭからのデータを読み込みオーディオ出力するＬＳＩと、
ＣＤのサブゴード付のデータを読み込み、タグに複数のサブコードを付加した圧縮オーディオを作成するエンコーダと、
前記エンコーダでエンコードしたデータを格納する記録媒体と、
前記記録媒体に記録されているデータをデコードし、ＣＤから読み込んだサブコード付のデータにするデコーダとを備え、
前記デコーダのデータをＳＰＭに入れ、デコーダからのデータが再生しているＳＰＭのデータに追いついた時に、次のサブコードからデコーダのデータを出力することを特徴とするリッピング時の音声出力開始時間短縮処理装置。
【請求項２】
前記ＳＰＭと、前記ＬＳＩによりリッピング無しのＣＤ再生を行うことを特徴とする請求項１記載のリッピング時の音声出力開始時間短縮処理装置。
【発明の詳細な説明】
【技術分野】
【０００１】
本発明は、ＣＤをリッピングしながら音楽等を聴く時、リッピング処理のために音声等の出力が遅れることを防止可能な、リッピング時の音声出力開始時間短縮処理装置に関する。
【背景技術】
【０００２】
従来よりＣＤによって音楽を聴く時は、例えば図４（ａ）に示すように音楽ＣＤを再生する場合、例えば８倍速でＣＤのディスクからデータを読み込んでＳＰＭ（ショック  プルーフ  メモリー）に格納し、Ｓｅｒｖｏ／ＳＰＭ制御ＬＳＩを介して、１倍速で音声を出力するようにしている。
【０００３】
ＳＰＭの容量が所定容量以上になった場合に読み込を一時停止し、容量が所定より低下した場合には読込を再開することにより、ＣＤの再生を行い、機器の振動等により読み取りかできない時に備えた再生処理を行っている。この場合は音声出力開始までに、最初のＳＰＭに所定量バッファを読み込むまで３秒程度再生は遅れるが、この程度は大きな問題とはならない。この時のデータはサブコード一つにオーディオデータ一つの通常のＣＤの再生データそのものであり、したがってＳＰＭに蓄えられるデータもサブコード一つにオーディオデータ一つの通常のＣＤの再生データそのものである。−
【０００４】
また、音楽ＣＤからリッピングしながら再生、即ち音楽ＣＤをＭＰ３等の他の形式に圧縮しながら、これをＨＤＤ等に記録ししつつ聴くこともできる。この手法は音楽を聴きながら、他の圧縮オーディオ再生装置で音楽を聴くことができるデータを作成することができるため、便利な手法として広く行われている。
【０００５】
なお、読取部が複数の曲データ及びＱサブコードを含むＣＤから当該Ｑサブコード情報を読み取り、制御部が、当該読み取られたＱサブコードに基づいて、ＣＤに含まれる全ての曲データの中から、曲間に無音時間が存在しない複数の曲データを検出し、検出された複数の曲データが単一の曲データとなるように、Ｑサブコードを変換する。制御部及びエンコーダは、変換後のＱサブコードに基づいて、検出された複数の曲データをＣＤから抽出し、所定の圧縮形式で圧縮し、再生部が圧縮された曲データを再生する。それにより記憶媒体に記録されている全ての曲データの曲間のうち、一部の曲間に無音時間が存在せず、且つ当該一部の曲間を含む複数の曲データを圧縮する場合にも、圧縮された曲データの再生時の音切れを解消することができる曲データ処理装置とする技術は特許文献１に開示されている。
【先行技術文献】
【特許文献】
【０００６】
【特許文献１】特開２００８−２５１０９７号公報
【発明の概要】
【発明が解決しようとする課題】
【０００７】
しかしながらこのようなリッピング再生時には、ディスクドライブから取得した音楽データを、一旦エンコードしてｍｐ３等の圧縮オーディオフアイル形式でＨＤＤ等に保存し、保存したファイルを再びデコードして再生し、音声出力するという擬似的な並行処理によって実現している。この一連の準備が整うまで音声出力が開始できない為、再生開始（最初の音出し）までは通常の曲で十数秒から二十数秒がかかっていた。
【０００８】
この時の作動は、図４（ｂ）に示すように、最初サブコード一つにオーディオデータ一つの通常のＣＤの再生データを、エンコーダでｍｐ３等のタグにオーディオデータが多数付随したデータにして、これをＨＤＤ等に記録している。その後このデータをデコーダにかけ、オーディオデータが連続したデータにして再生処理を行っている。この一連の処理に時間がかかるため、リッピング再生を開始してしばらくの間音が出ないことになる。
【０００９】
利用者はこのようなことが行われていることを知らず、また知っていてもリッピングしながら再生するのに長時間音が出ず、いらいらすることになる。したがってこのようなリッピング再生時にも音がすぐ出ることが望まれる。
【００１０】
したがって本発明はリッピング時の再生であっても、リッピング無しの通常再生時と同等の音声出力開始時間を実現することができる装置を提供することを主たる目的とする。また、ディスク再生からＨＤＤ等に記録したファイル再生に切り替わる際も、音飛びやプチノイズを防止したシームレスな再生を行うことができることを目的とし、また、大きなメモリ容量を必要とせず、現状構成のまま実現が可能であり、コストアップを伴わない装置とすることを目的としている。
【課題を解決するための手段】
【００１１】
本発明に係るリッピング時の音声出力開始時間短縮処理装置は、前記課題を解決するため、ＣＤのサブコード付のデータを読み込み、所定量格納するＳＰＭと、ＳＰＭからのデータを読み込みオーディオ出力するＬＳＩと、ＣＤのサブゴード付のデータを読み込み、タグに複数のサブコードを付加した圧縮オーディオを作成するエンコーダと、前記エンコーダでエンコードしたデータを格納する記録媒体と、前記記録媒体に記録されているデータをデコードし、ＣＤから読み込んだサブコード付のデータにするデコーダとを備え、前記デコーダのデータをＳＰＭに入れ、デコーダからのデータが再生しているＳＰＭのデータに追いついた時に、次のサブコードからデコーダのデータを出力することを特徴とする。
【００１２】
また、本発明に係る他のリッピング時の音声出力開始時間短縮処理装置は、前記リッピング時の音声出力開始時間短縮処理装置において、前記ＳＰＭと、前記ＬＳＩによりリッピング無しのＣＤ再生を行うことを特徴とする。
【発明の効果】
【００１３】
本発明は上記のように構成したので、リッピング時の再生であっても、リッピング無しの通常再生時と同等の音声出力開始時間を実現することができる。また。ディスク再生からｍｐ３等のファイルを再生する状態に切り替わる際も、音飛びやプチノイズを防止したシームレスな再生を行うことができる。また、大きなメモリ容量を必要とせず、現状構成のまま実現が可能であり、コストアップを伴わない装置とすることができる。
【図面の簡単な説明】
【００１４】
【図１】本発明の機能ブロック図である。
【図２】同実施例の作動フロー図である。
【図３】従来例及び本発明のデータ構成図である。
【図４】従来例を示す図である。
【発明を実施するための形態】
【実施例】
【００１５】
最初に本発明の基本原理から説明する。本発明においては、図１に示すように、従来と同様にＣＤ１を再生し、ＳＰＭ（ショック  プルーフ  メモリー）２に所定量のデータを蓄え、Ｓｅｒｖｏ／ＳＰＭ制御ＬＳＩ３で制御しながら、スピーカ４により再生出力している。したがって再生は従来の装置と同様に３秒程度の遅れて再生出力することができる。だたし、これは最初だけであり、後にこの再生作動は停止することとなる。この時ＳＰＭに入ってきているデータは従来と同様に図１（ａ）及び従来の図３（ａ）に示すような、一つのサブコードに一つのオーディオデータが付されたテータである。
【００１６】
また、この装置には従来のリッピング用と同様にＣＤを再生し、ｍｐ３等の圧縮オーディオを作成するエンコーダ５を備えており、データを圧縮しＨＤＤ６等に記録する。但し、このエンコーダ５においては、図４（ｂ）（１）に示したような一つのサブコードに一つのオーディオデータが付された通常のＣＤ読み込みテータを、図４（ｂ）（２）に示すようにタグにサブコードが多数付けられ、それに多数のオーディオデータが付されたデータにする。
【００１７】
このデータはそのままＨＤＤ６等に記録され、通常のタグ付きのｍｐ３等のオーディオデータとして再生可能となる。このサブコードとは、２３５２バイトのオーディオ信号とは別の独立したデータ領域のことであり、コントロール用データとして時間軸情報を備えていることから本体のオーディオ信号と同期できる。
【００１８】
その後デコーダ７では、図４（ｂ）（３）に示すような一つのサブゴードに一つのオーディオデータが付されたデータとされ、即ち通常のＣＤ読み取りデータと同じになり、これをＳＰＭ２に入力する。ＳＰＭ２では先にいっぱいになったデータを再生しており、約十数秒から二十数秒遅れて最初の曲の最初の部分が、前記処理を経て入ってくる。
【００１９】
その後デコーダで高速で処理される結果次々とデータが入ってくるため、現在ＳＰＭから再生している曲の特定の部分と重なることになる。この状態はサブコードで時間が出ているのでわかるため、以降はデコーダ７で再生した曲が引き継いで再生される。ここではＳＰＭの通常の作動と同様に、所定以上のデータは読み込まず、したがってデコーダ７では再生せずに、ＳＰＭで所定以下になった時に続けて再生することになるが、エンコーダでは前記作動を継続し、全曲のＣＤのリッピングを継続することができる。
【００２０】
なお、１曲目をディスク再生で行い、２曲目以降をファイル再生に切り替えることで、音飛びやプチノイズを発生させない、という手法も考えられるが、１曲分のデータをバッファリングするＳＰＭの確保が必要となる。現在の規格にレットブック（Red Book）上では、１曲で最大７４分である為、音飛びやプチノイズの無いシームレスな再生を目指した場合、少なくとも６５０MByte分のＳＰＭ容量が必要となってしまい、現実的ではない。
【００２１】
上記の作動は、図２に示す作動フローにより作動させることができる。即ち図２に示すＣＤ再生処理においては、最初リッピングしながら再生処理を行うか否かを判別している（ステップＳ１）。ここでリッピッグしながら再生する処理を行う時にはステップＳ２に進み、ＣＤの読み込みデータをＳＰＭとリッピング用エンコーダの両方に出力する。
【００２２】
次いでＳＰＭのデータは直ちに再生出力し、以降この作動を継続する（ステップＳ３）。これによりＳＰＭに蓄える所定量以上になると再生できるので、３秒程度の遅れで再生することができ、以降この再生処理を継続する。
【００２３】
続いてエンコードのデータのタグにサブコードを付加し圧縮オーディオにして記録媒体に出力する（ステップＳ４）。この作動は図１のエンコーダ５において、タグにサブコードを付加することにより行っている。
【００２４】
続いてエンコーダからのサブコード付圧縮オーディオを記録媒体に順次格納する（ステップＳ５）。これは図１に於いてＨＤＤに順に記録することにより行っている。次いで記録媒体に格納したサブコード付圧縮オーディオをデコードし、サブコードを付加してＳＰＭに格納する（ステップＳ６）。その後ＳＰＭから現在再生出力している時間データを検出する（ステップＳ７）。
【００２５】
続いてデコーダから入力したテータは現在再生出力しているデータと同じか否かを判別している（ステップＳ８）。ここでいまだ同じ時間になっていないと判別した時は、再びステップＳ６に戻って記録媒体に格納したサブコード付圧縮オーディオをデコードし、サブコードを付加してＳＰＭに格納する処理を継続する。
【００２６】
その後デコーダから入力したデータは現在再生出力しているデータと同じ時間になったことを検出した時は、ＳＰＭから再生出力しているデータをエンコーダからのデータに切り替える（ステップＳ９）。この作動に際しては、デコーダから入力したデータは現在再生出力しているデータと同じ時間のデータになったことをサブコードから検出した時、次のサブコードになった時にデコーダからのデータに切り替えることにより、プチノイズ等を発生することなく切り替えることができる。
【００２７】
図２にはリッピング無しのＣＤの通常再生も示しており、その場合はＣＤの読み込みデータをＳＰＭに出力して格納し（ステップＳ１０）、続いてＳＰＭのデータを再生出力しこの作動を継続することにより直ちに再生出力が行われる（ステップＳ１１）。続いてＳＰＭのデータは上限所定量以上になったか否かを判別し（ステップＳ１２）、未だ所定量になっていない時にはステップＳ１０に戻りＣＤの読み込みデータをＳＰＭに出力して格納する作動を継続する。
【００２８】
その後ステップＳ１２でＳＰＭのデータは上限所定量以上になったと判別した時にはステップＳ１３に進んで、ＣＤからの読み込みを中止し、再生を継続する。その後ＳＰＭのデータは下限所定値以下になったか否かを判別し、未だなっていない時にはステップＳ１３に戻ってＣＤからの読み込みを中止し再生を継続する。また、ＳＰＭのデータが下限所定量以下になったと判別した時には、ステップＳ１０に戻って、ＣＤの読み込みデータをＳＰＭに出力し格納する操作を継続する。
【００２９】
以上説明したように、２３５２バイトのオーディオ信号とは別の独立したデータ領域であるサブコードを生かし、コントロール用データとして時間軸情報を備えていることを生かして、本体のオーディオ信号と同期させ、この特性を生かしてデコード後のオーディオ信号に付加することで、あたかもディスクからリードしたデータと同等に取り扱うことができる。また、本対応によって、曲の途中でディスク再生からファイル再生に切り替わる時であっても、正確な音繋ぎ処理が可能となる。また、従来使用していない回路を用いるのみでこの作動を行うことができ、また、曲単位で切り替えるために一曲分のＳＰＭを用意する必要もなくなる。
【符号の説明】
【００３０】
１  ＣＤ
２  ＳＰＭ
３  ＬＳＩ
４  スピーカ
５  エンコーダ
６  ＨＤＤ
７  デコーダ
【図１】
2013097839.tif 000003
【図２】
2013097839.tif 000004
【図３】
2013097839.tif 000005
【図４】
2013097839.tif 000006